(57)【要約】【課題】第１ＦＥＴのソース（又はドレイン）及びゲートが短絡している場合に第１ＦＥＴ及び第２ＦＥＴを介した給電を停止する制御装置を提供する。【解決手段】制御装置では、昇圧回路４３は、抵抗４５の昇圧回路４３側の一端の電圧を、第１ＦＥＴ２１のソースの電圧よりも高い所定電圧に上昇させる。ＡＮＤ回路４０は、昇圧回路４３に、抵抗４５の昇圧回路４３側の一端の昇圧を指示している場合において、抵抗４５の他端の電圧が閾値電圧未満であるとき、抵抗４５の他端の電圧の低下を放電回路４４に指示する。閾値電圧は、所定電圧未満である。更に、閾値電圧は、抵抗４５の昇圧回路４３側の一端の電圧が所定電圧であり、かつ、第１ＦＥＴ２１のソース及びゲートが短絡している場合における抵抗４５の一端の電圧を超えている。【選択図】図２
2019146414.tif 000002
【特許請求の範囲】
【請求項１】
Ｎチャネル型の第１ＦＥＴと、
前記第１ＦＥＴのドレイン（又はソース）にドレインが接続されるＮチャネル型の第２ＦＥＴと、
前記第１ＦＥＴ及び第２ＦＥＴのゲート間に接続される第１抵抗と、
前記第２ＦＥＴのゲートに一端が接続される第２抵抗と、
前記第２抵抗の他端に接続され、前記第２抵抗の他端の電圧を、前記第１ＦＥＴのソース（又はドレイン）の電圧よりも高い所定電圧に上昇させる昇圧回路と、
前記第２抵抗の一端の電圧を低下させる低下回路と、
前記昇圧回路に前記第２抵抗の他端の上昇を指示する指示部と
を備え、
前記指示部は、前記昇圧回路に前記上昇を指示している場合にて、前記第２抵抗の一端の電圧が閾値電圧未満であるとき、前記低下回路に前記第２抵抗の一端の電圧の低下を指示し、
前記閾値電圧は、前記所定電圧未満であり、
前記閾値電圧は、前記第２抵抗の他端の電圧が前記所定電圧であり、かつ、前記第１ＦＥＴのソース（又はドレイン）及びゲートが短絡している場合における前記第２抵抗の一端の電圧を超えている
制御装置。
【請求項２】
前記第１ＦＥＴのソース及びゲート間の電圧を第２の所定電圧以下に維持する電圧維持体
を備える請求項１に記載の制御装置。
【請求項３】
スイッチを備え、
前記電圧維持体はツェナーダイオードであり、
前記電圧維持体のカソードは、前記第１ＦＥＴのソースに接続され、
前記電圧維持体のアノードは、前記スイッチを介して前記第１ＦＥＴのゲートに接続される
請求項２に記載の制御装置。
【請求項４】
スイッチと、
カソードが前記第１ＦＥＴのソースに接続され、アノードが前記スイッチを介して前記第１ＦＥＴのゲートに接続されるダイオードと
を備える請求項１に記載の制御装置。
【請求項５】
前記指示部は、前記昇圧回路に前記上昇を指示している場合にて、前記第２抵抗の一端の電圧が前記閾値電圧未満である期間が所定期間以上であるとき、前記低下回路に前記第２抵抗の一端の電圧の低下を指示する
請求項１から請求項４のいずれか１つに記載の制御装置。
【請求項６】
前記第１抵抗の数が２以上である
請求項１から請求項５のいずれか１つに記載の制御装置。
【発明の詳細な説明】
【技術分野】
【０００１】
本発明は制御装置に関する。
【背景技術】
【０００２】
車両には、バッテリから負荷への給電を制御する制御装置（例えば、特許文献１を参照）が搭載されている。この制御装置は第１ＦＥＴ及び第２ＦＥＴを備える。第１ＦＥＴ及び第２ＦＥＴの型はＮチャネル型である。第１ＦＥＴのドレインは、第２ＦＥＴのドレインに接続されている。第１ＦＥＴのソースはバッテリの正極に接続されている。第２ＦＥＴのソースは負荷の一端に接続されている。バッテリの負極は負荷の他端に接続されている。
【０００３】
第１ＦＥＴ及び第２ＦＥＴ夫々について、ゲートの電圧が高い程、ドレイン及びソース間の抵抗値は小さい。従って、第１ＦＥＴ及び第２ＦＥＴのゲートの電圧が高い場合、バッテリ及び負荷が電気的に接続され、第１ＦＥＴ及び第２ＦＥＴを介してバッテリから負荷に電流が流れ、負荷に電力が供給される。第１ＦＥＴ及び第２ＦＥＴのゲートの電圧が低い場合、バッテリ及び負荷間の電気的な接続が遮断され、第１ＦＥＴ及び第２ＦＥＴを介して電流が流れず、負荷への給電が停止する。第１ＦＥＴ及び第２ＦＥＴのゲートの電圧を調整することによって、バッテリから負荷への給電を制御する。
【先行技術文献】
【特許文献】
【０００４】
【特許文献１】特開２００７−８２３７４号公報
【発明の概要】
【発明が解決しようとする課題】
【０００５】
特許文献１に記載の制御装置では、負荷に電力を供給する場合、第１ＦＥＴ及び第２ＦＥＴのゲートの電圧は、バッテリの出力電圧よりも高い電圧に調整される。従って、第１ＦＥＴのソース及びゲートが短絡している場合、第１ＦＥＴのゲートの電圧は、バッテリの出力電圧であり、低い。
【０００６】
第１ＦＥＴ及び第２ＦＥＴ夫々では、ドレイン及びソース夫々にカソード及びアノードが接続される寄生ダイオードが形成されている。第２ＦＥＴのゲートの電圧が高い状態で第１ＦＥＴのソース及びゲートが短絡した場合、第１ＦＥＴのドレイン及びソース間の抵抗値が大きいため、電流が、第１ＦＥＴの寄生ダイオード及び第２ＦＥＴの順に流れる。寄生ダイオードを介して電流が流れた場合、第１ＦＥＴの温度は急速に上昇し、第１ＦＥＴが故障する可能性がある。このため、第１ＦＥＴのソース及びゲートが短絡している場合、第１ＦＥＴ及び第２ＦＥＴを介した給電を停止し、寄生ダイオードを介した通電を停止させる必要がある。
【０００７】
また、バッテリから負荷への給電を制御する制御装置の中には、第１ＦＥＴのソースが第２ＦＥＴのドレインに接続される制御装置がある。この場合、第１ＦＥＴのドレインがバッテリの正極に接続され、第２ＦＥＴのソースが負荷の一端に接続され、バッテリの負極が負荷の他端に接続される。この場合において、第１ＦＥＴのドレイン及びゲートが短絡した場合も、第１ＦＥＴのゲートの電圧は、バッテリの出力電圧であり、低い。このとき、第１ＦＥＴのゲートの電圧は、第１ＦＥＴのドレイン及びゲートを介した通電を遮断することができる程、低くない。
【０００８】
従って、第２ＦＥＴのゲートの電圧が高い状態で第１ＦＥＴのドレイン及びゲートが短絡した場合、電流は、第１ＦＥＴ及び第２ＦＥＴの順に流れる。このとき、第１ＦＥＴのドレイン及びソース間の抵抗値は十分に小さくないため、第１ＦＥＴで発生する熱の熱量が大きく、第１ＦＥＴの温度が急速に上昇し、第１ＦＥＴが故障する可能性がある。このため、第１ＦＥＴのソースが第２ＦＥＴのドレインに接続される構成では、第１ＦＥＴのドレイン及びゲートが短絡している場合、第１ＦＥＴ及び第２ＦＥＴを介した給電を停止し、寄生ダイオードを介した通電を停止させる必要がある。
【０００９】
本発明は斯かる事情に鑑みてなされたものであり、その目的とするところは、第１ＦＥＴのソース（又はドレイン）及びゲートが短絡している場合に第１ＦＥＴ及び第２ＦＥＴを介した給電を停止する制御装置を提供することにある。
【課題を解決するための手段】
【００１０】
本発明の一態様に係る制御装置は、Ｎチャネル型の第１ＦＥＴと、前記第１ＦＥＴのドレイン（又はソース）にドレインが接続されるＮチャネル型の第２ＦＥＴと、前記第１ＦＥＴ及び第２ＦＥＴのゲート間に接続される第１抵抗と、前記第２ＦＥＴのゲートに一端が接続される第２抵抗と、前記第２抵抗の他端に接続され、前記第２抵抗の他端の電圧を、前記第１ＦＥＴのソース（又はドレイン）の電圧よりも高い所定電圧に上昇させる昇圧回路と、前記第２抵抗の一端の電圧を低下させる低下回路と、前記昇圧回路に前記第２抵抗の他端の上昇を指示する指示部とを備え、前記指示部は、前記昇圧回路に前記上昇を指示している場合にて、前記第２抵抗の一端の電圧が閾値電圧未満であるとき、前記低下回路に前記第２抵抗の一端の電圧の低下を指示し、前記閾値電圧は、前記所定電圧未満であり、前記閾値電圧は、前記第２抵抗の他端の電圧が前記所定電圧であり、かつ、前記第１ＦＥＴのソース（又はドレイン）及びゲートが短絡している場合における前記第２抵抗の一端の電圧を超えている。
【発明の効果】
【００１１】
上記の態様によれば、第１ＦＥＴのソース（又はドレイン）及びゲートが短絡している場合に第１ＦＥＴ及び第２ＦＥＴを介した給電を停止する。
【図面の簡単な説明】
【００１２】
【図１】実施形態１における電源システムの回路図である。
【図２】駆動機の回路図である。
【図３】駆動機の動作の第１例を示すタイミングチャートである。
【図４】駆動機の動作の第２例を示すタイミングチャートである。
【図５】駆動機の動作の第３例を示すタイミングチャートである。
【図６】短絡が発生していない場合における昇圧回路及び導体間の回路図である。
【図７】短絡が発生した場合における昇圧回路及び導体間の回路図である。
【図８】実施形態２における電源システムの回路図である。
【発明を実施するための形態】
【００１３】
［本発明の実施形態の説明］
最初に本発明の実施態様を列挙して説明する。以下に記載する実施形態の少なくとも一部を任意に組み合わせてもよい。
【００１４】
（１）本発明の一態様に係る制御装置は、Ｎチャネル型の第１ＦＥＴと、前記第１ＦＥＴのドレイン（又はソース）にドレインが接続されるＮチャネル型の第２ＦＥＴと、前記第１ＦＥＴ及び第２ＦＥＴのゲート間に接続される第１抵抗と、前記第２ＦＥＴのゲートに一端が接続される第２抵抗と、前記第２抵抗の他端に接続され、前記第２抵抗の他端の電圧を、前記第１ＦＥＴのソース（又はドレイン）の電圧よりも高い所定電圧に上昇させる昇圧回路と、前記第２抵抗の一端の電圧を低下させる低下回路と、前記昇圧回路に前記第２抵抗の他端の上昇を指示する指示部とを備え、前記指示部は、前記昇圧回路に前記上昇を指示している場合にて、前記第２抵抗の一端の電圧が閾値電圧未満であるとき、前記低下回路に前記第２抵抗の一端の電圧の低下を指示し、前記閾値電圧は、前記所定電圧未満であり、前記閾値電圧は、前記第２抵抗の他端の電圧が前記所定電圧であり、かつ、前記第１ＦＥＴのソース（又はドレイン）及びゲートが短絡している場合における前記第２抵抗の一端の電圧を超えている。
【００１５】
上記の一態様にあっては、第２抵抗の他端の電圧の所定電圧への上昇を昇圧回路に指示している場合において、第１ＦＥＴのソース（又はドレイン）及びゲートが短絡しているとき、第２抵抗の一端の電圧は閾値電圧未満である。このとき、第２抵抗の一端の電圧の低下を低下回路に指示する。これにより、第２ＦＥＴのゲートの電圧が低下し、第２ＦＥＴのドレイン及びソース間の抵抗値が上昇する。結果、第１ＦＥＴ及び第２ＦＥＴを介した給電が停止する。
【００１６】
（２）本発明の一態様に係る制御装置は、前記第１ＦＥＴのソース及びゲート間の電圧を第２の所定電圧以下に維持する電圧維持体を備える。
【００１７】
上記の一態様にあっては、電圧維持体の作用により、第１ＦＥＴのソース及びゲート間の電圧は第２の所定電圧以下に維持される。
【００１８】
（３）本発明の一態様に係る制御装置は、スイッチを備え、前記電圧維持体はツェナーダイオードであり、前記電圧維持体のカソードは、前記第１ＦＥＴのソースに接続され、前記電圧維持体のアノードは、前記スイッチを介して前記第１ＦＥＴのゲートに接続される。
【００１９】
上記の一態様にあっては、スイッチがオフからオンに切替わった場合、第１ＦＥＴのソース及びゲートが短絡され、第１ＦＥＴのゲートの電圧が低下する。第１ＦＥＴのドレインが第２ＦＥＴのドレインに接続されていると仮定する。この場合、第１ＦＥＴの寄生ダイオードのカソードは第２ＦＥＴの寄生ダイオードのカソードに接続される。この構成では、スイッチがオフからオンに切替わったとき、第１ＦＥＴのドレイン及びソース間の抵抗値が上昇し、電流が第２ＦＥＴのソースから第１ＦＥＴのソースに向けて電流が流れることが防止される。
【００２０】
また、スイッチの一端にツェナーダイオードのアノードが接続されているので、ツェナーダイオードからスイッチに電流が流れることが防止される。
【００２１】
（４）本発明の一態様に係る制御装置は、スイッチと、カソードが前記第１ＦＥＴのソースに接続され、アノードが前記スイッチを介して前記第１ＦＥＴのゲートに接続されるダイオードとを備える。
【００２２】
上記の一態様にあっては、スイッチがオフからオンに切替わった場合、第１ＦＥＴのソース及びゲートが短絡され、第１ＦＥＴのゲートの電圧が低下する。第１ＦＥＴのドレインが第２ＦＥＴのドレインに接続されていると仮定する。この場合、第１ＦＥＴの寄生ダイオードのカソードは第２ＦＥＴの寄生ダイオードのカソードに接続される。この構成では、スイッチがオフからオンに切替わったとき、第１ＦＥＴのドレイン及びソース間の抵抗値が上昇し、電流が第２ＦＥＴのソースから第１ＦＥＴのソースに向けて電流が流れることが防止される。
【００２３】
また、スイッチの一端にダイオードのアノードが接続されているので、ダイオードからスイッチに電流が流れることが防止される。
【００２４】
（５）本発明の一態様に係る制御装置は、前記指示部は、前記昇圧回路に前記上昇を指示している場合にて、前記第２抵抗の一端の電圧が前記閾値電圧未満である期間が所定期間以上であるとき、前記低下回路に前記第２抵抗の一端の電圧の低下を指示する。
【００２５】
上記の一態様にあっては、第２抵抗の他端の電圧の所定電圧への上昇を昇圧回路に指示している場合において、第２抵抗の一端の電圧が閾値電圧未満である期間が所定期間以上となったとき、即ち、故障が発生している可能性が高いとき、第２抵抗の一端の電圧の低下を低下回路に指示する。これにより、第１ＦＥＴ及び第２ＦＥＴを介した給電は停止する。
【００２６】
（６）本発明の一態様に係る制御装置は、前記第１抵抗の数が２以上である。
【００２７】
上記の一態様にあっては、複数の第１抵抗中の１つを介した通電が停止した場合であっても、他の第１抵抗を介した通電が行われるため、第１ＦＥＴ及び第２ＦＥＴは適切に作用する。
【００２８】
［本発明の実施形態の詳細］
本発明の実施形態に係る電源システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２９】
（実施形態１）
図１は、実施形態１における電源システム１の回路図である。電源システム１は、好適に車両に搭載され、制御装置１０、バッテリ１１、負荷１２及び導体１３を備える。制御装置１０は、バッテリ１１の正極が接続される正極端子Ｔ１と、負荷１２の一端とに接続されている。バッテリ１１の負極が接続される負極端子Ｔ２と、負荷１２の他端とは導体１３に接続されている。制御装置１０は、更に、導体１３と、外部装置Ｇ１とに接続されている。導体１３は、例えば車両のボディである。導体１３への接続は、所謂接地を意味する。
【００３０】
正極端子Ｔ１及び負極端子Ｔ２夫々にバッテリ１１の正極及び負極が接続されている場合、バッテリ１１の接続は正常接続である。正極端子Ｔ１及び負極端子Ｔ２夫々にバッテリ１１の負極及び正極が接続されている場合、バッテリ１１の接続は逆接続である。
【００３１】
バッテリ１１の接続が正常接続である場合、バッテリ１１は、制御装置１０を介して負荷１２に電力を供給する。このとき、電流は、正極端子Ｔ１、制御装置１０、負荷１２、導体１３及び負極端子Ｔ２の順に流れる。負荷１２は車両に搭載された電気機器である。バッテリ１１から負荷１２に電力が供給されている場合、負荷１２は作動する。バッテリ１１から負荷１２への給電が停止した場合、負荷１２は動作を停止する。
【００３２】
外部装置Ｇ１から制御装置１０に制御信号が入力されている。制御信号は、ハイレベル電圧及びローレベル電圧によって構成される。
バッテリ１１の接続が正常接続である場合において、制御信号が示す電圧がローレベル電圧からハイレベル電圧に切替わったとき、制御装置１０は、正極端子Ｔ１及び負荷１２を電気的に接続する。これにより、バッテリ１１から負荷１２に電力が供給され、負荷１２が作動する。
【００３３】
バッテリ１１の接続が正常接続である場合において、制御信号が示す電圧がハイレベル電圧からローレベル電圧に切替わったとき、制御装置１０は、正極端子Ｔ１及び負荷１２間の電気的な接続を遮断する。これにより、バッテリ１１から負荷１２への給電が停止され、負荷１２が動作を停止する。
【００３４】
バッテリ１１の接続が逆接続である場合、制御装置１０は、制御信号が示す電圧に無関係に、正極端子Ｔ１及び負荷１２の電気的な接続を遮断する。このため、バッテリ１１の接続が逆接続である場合、負荷１２に電力が供給されることはない。
【００３５】
制御装置１０は、第１ＦＥＴ２１、第２ＦＥＴ２２、駆動機２３、抵抗２４，２５ａ，２５ｂ，２６，２７，２８、ダイオード２９ａ，２９ｂ，３０、ツェナーダイオード３１ａ，３１ｂ及びスイッチ３２を有する。第１ＦＥＴ２１及び第２ＦＥＴ２２の型は、Ｎチャネル型である。スイッチ３２はＮＰＮ型のバイポーラトランジスタである。
【００３６】
第１ＦＥＴ２１を製造した場合、寄生容量Ｃｓ１，Ｃｄ１及び寄生ダイオードＤｐ１が形成される。寄生容量Ｃｓ１は、第１ＦＥＴ２１のソース及びゲート間に接続されている。寄生容量Ｃｄ１は、第１ＦＥＴ２１のドレイン及びゲート間に接続されている。寄生ダイオードＤｐ１のカソード及びアノード夫々は、第１ＦＥＴ２１のドレイン及びソースに接続されている。
【００３７】
同様に、第２ＦＥＴ２２を製造した場合、寄生容量Ｃｓ２，Ｃｄ２及び寄生ダイオードＤｐ２が形成される。寄生容量Ｃｓ２は、第２ＦＥＴ２２のソース及びゲート間に接続されている。寄生容量Ｃｄ２は、第２ＦＥＴ２２のドレイン及びゲート間に接続されている。寄生ダイオードＤｐ２のカソード及びアノード夫々は、第２ＦＥＴ２２のドレイン及びソースに接続されている。
【００３８】
第１ＦＥＴ２１のソースは正極端子Ｔ１に接続されている。第１ＦＥＴ２１のドレインは、第２ＦＥＴ２２のドレインに接続されている。第２ＦＥＴ２２のソースは負荷１２の一端に接続されている。第１ＦＥＴ２１のソース及びゲート間に抵抗２４が接続されている。第１ＦＥＴ２１のゲートには、抵抗２５ａ，２５ｂ夫々の一端が接続されている。抵抗２５ａ，２５ｂ夫々の他端は、ダイオード２９ａ，２９ｂのカソードに接続されている。駆動機２３と、ダイオード２９ａ，２９ｂのアノードとは、抵抗２６を介して第２ＦＥＴ２２のゲートに接続されている。
従って、抵抗２５ａ，２５ｂ夫々は、第１ＦＥＴ２１及び第２ＦＥＴ２２のゲート間に接続されている。抵抗２５ａ，２５ｂ夫々は第１抵抗として機能する。
【００３９】
駆動機２３は、更に、導体１３と、外部装置Ｇ１とに各別に接続されている。第１ＦＥＴ２１のソースには、更に、ツェナーダイオード３１ａのカソードが接続されている。ツェナーダイオード３１ａのアノードは、ツェナーダイオード３１ｂのアノードが接続されている。ツェナーダイオード３１ｂのカソードは、第１ＦＥＴ２１のゲートに接続されている。ツェナーダイオード３１ａのアノードには、更に、スイッチ３２のエミッタが接続されている。スイッチ３２のコレクタは、第１ＦＥＴ２１のゲートに接続されている。従って、ツェナーダイオード３１ａのアノードは、スイッチ３２を介して第１ＦＥＴ２１のゲートに接続されている。
【００４０】
スイッチ３２のエミッタ及びベース間には抵抗２７が接続されている。スイッチ３２のベースには、更に、抵抗２８の一端が接続されている。抵抗２８の他端はダイオード３０のカソードに接続されている。ダイオード３０のアノードは導体１３に接続されている。
【００４１】
第１ＦＥＴ２１及び第２ＦＥＴ２２夫々について、ソースの電位を基準としたゲートの電圧が上昇した場合、ドレイン及びソース間の抵抗値が低下する。バッテリ１１の接続が正常接続である場合において、第１ＦＥＴ２１のドレイン及びソース間の抵抗値と、第２ＦＥＴ２２のドレイン及びソース間の抵抗値とが小さいとき、電流が正極端子Ｔ１、第１ＦＥＴ２１、第２ＦＥＴ２２、負荷１２、導体１３及び負極端子Ｔ２の順に流れる。このとき、正極端子Ｔ１から第１ＦＥＴ２１のソースに電流が入力され、第１ＦＥＴ２１のドレインから電流が出力される。第１ＦＥＴ２１のドレインから第２ＦＥＴ２２のドレインに電流が入力される。第２ＦＥＴ２２のソースから負荷１２に電流が出力される。
【００４２】
外部装置Ｇ１は駆動機２３に制御信号を出力している。駆動機２３は、制御信号が示す電圧がローレベル電圧からハイレベル電圧に切替わった場合、導体１３の電位を基準とした抵抗２６の駆動機２３側の一端の電圧を上昇させる。この電圧は、ダイオード２９ａ及び抵抗２５ａを介して、又は、ダイオード２９ｂ及び抵抗２５ｂを介して第１ＦＥＴ２１のゲートに印加されるとともに、抵抗２６を介して第２ＦＥＴ２２のゲートに印加される。以下では、抵抗２６の駆動機２３側の一端の電圧を出力端電圧と記載する。出力端電圧はＶｅで表される。
【００４３】
以下では、バッテリ１１の接続が正常接続であると仮定する。バッテリ１１の接続が正常接続である場合、後述するように、スイッチ３２はオフであり、スイッチ３２のコレクタ及びエミッタ間を電流が流れることはない。
駆動機２３が出力端電圧Ｖｅを上昇させた場合、電流が以下のように流れる。電流は、ダイオード２９ａ及び抵抗２５ａを介して、又は、ダイオード２９ｂ及び抵抗２５ｂを介して、第１ＦＥＴ２１の寄生容量Ｃｓ１，Ｃｄ１に流れる。更に、電流は、抵抗２６を介して寄生容量Ｃｓ２，Ｃｄ２に流れる。これにより、寄生容量Ｃｓ１，Ｃｄ１，Ｃｓ２，Ｃｄ２が充電される。寄生容量Ｃｓ１，Ｃｄ１，Ｃｓ２，Ｃｄ２が充電された場合、第１ＦＥＴ２１及び第２ＦＥＴ２２夫々において、ソースの電位を基準としたゲートの電圧が上昇し、ドレイン及びソース間の抵抗値が低下する。結果、正極端子Ｔ１及び負荷１２が電気的に接続され、バッテリ１１は、第１ＦＥＴ２１及び第２ＦＥＴ２２を介して負荷１２に電力を供給する。
【００４４】
第１ＦＥＴ２１及び第２ＦＥＴ２２夫々において、ドレイン及びソース間の抵抗値が小さい場合、第１ＦＥＴ２１及び第２ＦＥＴ２２のソースの電圧は、バッテリ１１の出力電圧に略一致している。このため、出力端電圧Ｖｅは、バッテリ１１の出力電圧よりも高い。
【００４５】
駆動機２３は、制御信号が示す電圧がハイレベル電圧からローレベル電圧に切替わった場合、寄生容量Ｃｓ２，Ｃｄ２に放電させることによって、出力端電圧Ｖｅを低下させる。このとき、電流が、第２ＦＥＴ２２のゲート側の一端から抵抗２６及び駆動機２３の順に流れる。寄生容量Ｃｓ２，Ｃｄ２が放電している間、寄生容量Ｃｓ１，Ｃｄ１は放電する。このとき、寄生容量Ｃｓ１，Ｃｄ１夫々について、電流は、第１ＦＥＴ２１のゲート側の一端から抵抗２４を流れる。寄生容量Ｃｓ１，Ｃｄ１，Ｃｓ２，Ｃｄ２が放電した場合、第１ＦＥＴ２１及び第２ＦＥＴ２２夫々において、ソースの電位を基準としたゲートの電圧が低下し、ドレイン及びソース間の抵抗値が上昇する。結果、正極端子Ｔ１及び負荷１２間の電気的な接続が遮断され、負荷１２への給電は停止する。
【００４６】
ダイオード２９ａ，２９ｂは、バッテリ１１が抵抗２４，２６を介して第２ＦＥＴ２２のゲートに電圧を印加することを防止する。仮に、ダイオード２９ａ，２９ｂが存在せず、バッテリ１１が第２ＦＥＴ２２のゲートに印加された場合、第２ＦＥＴ２２において、ソースの電位を基準としたゲートの電圧が中途半端な値となる。
【００４７】
この場合、第２ＦＥＴ２２のドレイン及びソース間の抵抗値が十分に大きくないため、電流が寄生ダイオードＤｐ１及び第２ＦＥＴ２２の順に流れる。更に、第２ＦＥＴ２２のドレイン及びソース間の抵抗値が十分に小さくないため、第２ＦＥＴ２２で発生する熱の量が大きく、第２ＦＥＴ２２が故障する可能性がある。第１ＦＥＴ２１及び第２ＦＥＴ２２夫々について、ソースの電位を基準としたゲートの電圧が中途半端な値となる現象はハーフオンと呼ばれる。
【００４８】
ツェナーダイオード３１ａ，３１ｂ夫々では、アノードの電位を基準としたカソードの電圧が降伏電圧未満である場合、カソードからアノードへ電流が流れることはない。そして、アノードの電位を基準としたカソードの電圧が降伏電圧以上である場合、カソードからアノードへ電流が流れ、カソード及びアノード間の電圧を降伏電圧に維持する。ツェナーダイオード３１ａ，３１ｂの降伏電圧は一定の電圧である。
【００４９】
ツェナーダイオード３１ａ，３１ｂ夫々について、電流がアノード及びカソードの順に流れた場合に生じる電圧を無視した場合、ツェナーダイオード３１ａは、第１ＦＥＴ２１において、ゲートの電位を基準としたソースの電圧を降伏電圧以下に維持する。ツェナーダイオード３１ｂは、第１ＦＥＴ２１において、ソースの電位を基準としたゲートの電圧を降伏電圧以下に維持する。ツェナーダイオード３１ａは電圧維持体として機能し、ツェナーダイオード３１ａの降伏電圧は第２の所定電圧に相当する。
なお、ツェナーダイオード３１ａ，３１ｂの降伏電圧は、同一であってもよいし、互いに異なっていてもよい。
【００５０】
スイッチ３２について、エミッタの電位を基準としたベースの電圧が正の一定電圧以上である場合、コレクタ及びエミッタ間を電流が流れることが可能である。このとき、スイッチ３２はオンである。スイッチ３２について、エミッタの電位を基準としたベースの電圧が正の一定電圧未満である場合、コレクタ及びエミッタを介して電流が流れることはない。このとき、スイッチ３２はオフである。
【００５１】
バッテリ１１の接続が正常接続である場合、ダイオード３０の作用により、抵抗２７に電流が流れることはない。このとき、スイッチ３２において、エミッタの電位を基準としたベースの電圧が、ゼロＶであり、前述した一定電圧未満である。このため、スイッチ３２はオフである。
【００５２】
バッテリ１１の接続が逆接続である場合、電流は、負極端子Ｔ２、導体１３、ダイオード３０、抵抗２８，２７、ツェナーダイオード３１ａ及び正極端子Ｔ１の順に流れる。これにより、抵抗２７で電圧降下が生じるので、スイッチ３２において、エミッタの電位を基準としたベースの電圧が一定電圧以上であり、スイッチ３２はオンである。
【００５３】
スイッチ３２がオフからオンに切替わった場合、第１ＦＥＴ２１において、ソース及びゲートが短絡され、ソースの電位を基準としたゲートの電圧は、出力端電圧Ｖｅに無関係に、略ゼロＶに低下する。これにより、第１ＦＥＴ２１のドレイン及びソース間の抵抗値は、十分に大きい値に上昇し、電流が第２ＦＥＴ２２のソースから第１ＦＥＴ２１のソースに向けて電流が流れることが防止される。
【００５４】
スイッチ３２がオフである場合においては、出力端電圧Ｖｅが上昇したとき、前述したように、第１ＦＥＴ２１において、ソースの電位を基準としたゲートの電圧が上昇する。
ツェナーダイオード３１ａは、バッテリ１１の接続が正常接続である場合において、電流が抵抗２７、スイッチ３２のベース、及び、スイッチ３２のコレクタの順に流れることを防止する。バイポーラトランジスタでは、電流がベース及びコレクタの順に流れることは想定されてない。このため、スイッチ３２において、電流がベース及びコレクタの順に流れた場合、スイッチ３２が故障する可能性がある。ツェナーダイオード３１ａの作用により、この故障が防止される。
【００５５】
以上のように、バッテリ１１の接続が逆接続である場合、スイッチ３２がオンであり、出力端電圧Ｖｅ、即ち、制御信号が示す電圧に無関係に正極端子Ｔ１及び負荷１２間の接続が遮断される。また、バッテリ１１の接続が正常接続である場合、駆動機２３は、出力端電圧Ｖｅを調整することによって、正極端子Ｔ１及び負荷１２間の電気的な接続と、この接続の遮断とを行う。
【００５６】
次に、駆動機２３の構成を説明する。駆動機２３の構成の説明では、バッテリ１１の接続は正常接続であることを前提とする。
【００５７】
図２は駆動機２３の回路図である。駆動機２３は、ＡＮＤ回路４０、反転器４１，４２、昇圧回路４３、放電回路４４、抵抗４５、コンパレータ４６、直流電源４７、ＯＲ回路４８及びフィルタ回路４９を有する。ＡＮＤ回路４０及びＯＲ回路４８夫々は、２つの入力端と、１つの出力端を有する。反転器４１，４２夫々は、１つの入力端と、１つの出力端とを有する。コンパレータ４６は、プラス端、マイナス端及び出力端を有する。
【００５８】
ＡＮＤ回路４０の一方の入力端と、反転器４１の入力端とには外部装置Ｇ１が接続されている。ＡＮＤ回路４０の出力端は、反転器４２の入力端と、昇圧回路４３とに接続されている。反転器４２の出力端は、放電回路４４に接続されている。昇圧回路４３は、更に、抵抗４５の一端に接続されている。抵抗４５の他端は、抵抗２６を介して第２ＦＥＴ２２のゲートに接続されている。放電回路４４は、更に、導体１３と、抵抗４５の他端とに接続されている。抵抗４５は第２抵抗として機能する。
【００５９】
コンパレータ４６について、プラス端は抵抗４５の他端に接続され、マイナス端は直流電源４７の正極に接続され、出力端は、ＯＲ回路４８の一方の入力端に接続されている。直流電源４７の負極は導体１３に接続されている。反転器４１の出力端は、ＯＲ回路４８の他方の入力端に接続されている。ＯＲ回路４８の出力端は、フィルタ回路４９に接続されている。フィルタ回路４９は、更に、ＡＮＤ回路４０の他方の入力端に接続されている。
なお、昇圧回路４３は、更に、導体１３に接続されている。図２では、この接続の記載を省略している。
【００６０】
外部装置Ｇ１は、ＡＮＤ回路４０に制御信号を出力している。前述したように、制御信号はハイレベル電圧又はローレベル電圧を示す。フィルタ回路４９は、ＡＮＤ回路４０にハイレベル電圧又はローレベル電圧を出力している。
【００６１】
フィルタ回路４９がハイレベル電圧を出力している場合において、制御信号がハイレベル電圧を示すとき、ＡＮＤ回路４０はハイレベル電圧を反転器４２及び昇圧回路４３に出力する。同様の場合において、制御信号がローレベル電圧を示すとき、ＡＮＤ回路４０はローレベル電圧を反転器４２及び昇圧回路４３に出力する。従って、フィルタ回路４９がハイレベル電圧を出力している場合、ＡＮＤ回路４０は、制御信号が示す電圧を出力する。フィルタ回路４９がローレベル電圧を出力している場合、ＡＮＤ回路４０は、制御信号が示す電圧に無関係に、ローレベル電圧を反転器４２及び昇圧回路４３に出力する。
【００６２】
昇圧回路４３は、ＡＮＤ回路４０から入力されている電圧がローレベル電圧からハイレベル電圧に切替わった場合、導体１３の電位を基準とした抵抗４５の一端の電圧を、正極端子Ｔ１、即ち、第１ＦＥＴ２１のソースの電圧よりも高い所定電圧に上昇させる。これにより、抵抗４５の他端の電圧である出力端電圧Ｖｅが上昇し、第１ＦＥＴ２１及び第２ＦＥＴ２２夫々について、ドレイン及びソース間の抵抗値が低下する。昇圧回路４３は、ＡＮＤ回路４０から入力されている電圧がハイレベル電圧からローレベル電圧に切替わった場合、抵抗４５の一端への電圧の印加を停止する。このとき、抵抗４５に電流が流れないため、抵抗４５の両端の電圧は出力端電圧Ｖｅと略一致する。
【００６３】
昇圧回路４３は、例えば、導体１３の電位を基準とした正極端子Ｔ１の電圧を昇圧し、昇圧した電圧を抵抗４５の一端に印加する。これにより、抵抗４５の一端の電圧が上昇する。正極端子Ｔ１の電圧を昇圧する構成では、昇圧回路４３は、昇圧を停止することによって、抵抗４５の一端への電圧の印加を停止する。
以上のように、ＡＮＤ回路４０は、ハイレベル電圧を出力することによって、昇圧回路４３に抵抗４５の一端の電圧の上昇を指示し、ローレベル電圧を出力することによって、昇圧回路４３に抵抗４５の一端への電圧の印加の停止を指示する。ＡＮＤ回路４０は指示部として機能する。
【００６４】
反転器４２は、ＡＮＤ回路４０からハイレベル電圧が入力されている場合、ローレベル電圧を放電回路４４に出力する。反転器４２は、ＡＮＤ回路４０からローレベル電圧が入力されている場合、ハイレベル電圧を放電回路４４に出力する。
【００６５】
放電回路４４は、反転器４２から入力されている電圧がローレベル電圧からハイレベル電圧に切替わった場合、抵抗２６の抵抗４５側の一端を導体１３に電気的に接続する。これにより、第２ＦＥＴ２２の寄生容量Ｃｓ２，Ｃｄ２は放電し、出力端電圧Ｖｅが低下する。このとき、電流は、寄生容量Ｃｓ２，Ｃｄ２夫々の抵抗２６側の一端から、抵抗２６、放電回路４４及び導体１３の順に流れる。放電回路４４は、反転器４２から入力されている電圧がハイレベル電圧からローレベル電圧に切替わった場合、導体１３及び抵抗２６間の電気的な接続を遮断する。これにより、寄生容量Ｃｓ２，Ｃｄ２は放電を停止する。
【００６６】
放電回路４４は、例えば、導体１３及び抵抗２６間に接続される放電スイッチを有する。この場合、放電スイッチをオンに切替えることによって、導体１３及び抵抗２６を電気的に接続し、放電スイッチをオフに切替えることによって、導体１３及び抵抗２６間の電気的な接続を遮断する。
以上のように、ＡＮＤ回路４０は、ローレベル電圧を出力することによって、放電回路４４に出力端電圧Ｖｅの低下を指示し、ハイレベル電圧を出力することによって、放電回路４４に出力端電圧Ｖｅの低下の停止を指示する。放電回路４４は低下回路として機能する。
【００６７】
昇圧回路４３は、放電回路４４が導体１３及び抵抗２６間の電気的な接続を遮断している状態で抵抗４５の一端の電圧を上昇させる。放電回路４４は、昇圧回路４３が抵抗４５の一端の電圧を低下させている状態で導体１３及び抵抗２６を電気的に接続する。言い換えると、ＡＮＤ回路４０は、放電回路４４に出力端電圧Ｖｅの低下の停止を指示している状態で昇圧回路４３に抵抗４５の一端の電圧の上昇を指示し、昇圧回路４３に抵抗４５の一端への電圧の印加の停止を指示している状態で放電回路４４に出力端電圧Ｖｅの低下を指示する。
【００６８】
外部装置Ｇ１は反転器４１にも制御信号を出力している。反転器４１は、制御信号がハイレベル電圧を示す場合、ローレベル電圧をＯＲ回路４８に出力する。反転器４１は、制御信号がローレベル電圧を示す場合、ハイレベル電圧をＯＲ回路４８に出力する。
【００６９】
コンパレータ４６は、出力端電圧Ｖｅが直流電源４７の両端間の電圧以上である場合、ハイレベル電圧をＯＲ回路４８に出力する。コンパレータ４６は、出力端電圧Ｖｅが直流電源４７の両端間の電圧未満である場合、ローレベル電圧をＯＲ回路４８に出力する。直流電源４７の両端間の電圧は略一定である。
以下では、直流電源４７の両端間の電圧を閾値電圧と記載する。閾値電圧はＶｔｈで表される（図３〜図５を参照）。
【００７０】
ＯＲ回路４８は、反転器４１又はコンパレータ４６がハイレベル電圧を出力している場合、ハイレベル電圧をフィルタ回路４９に出力する。ＯＲ回路４８は、反転器４１及びコンパレータ４６の両方がローレベル電圧を出力している場合、ローレベル電圧をフィルタ回路４９に出力する。
言い換えると、ＯＲ回路４８は、制御信号がローレベル電圧を示すか、又は、出力端電圧Ｖｅが閾値電圧Ｖｔｈ以上である場合、ハイレベル電圧をフィルタ回路４９に出力する。ＯＲ回路４８は、制御信号がハイレベル電圧を示しているにも関わらず、出力端電圧Ｖｅが閾値電圧Ｖｔｈ未満である場合、ローレベル電圧をフィルタ回路４９に出力する。
【００７１】
フィルタ回路４９は、ＯＲ回路４８がハイレベル電圧を出力しているか、又は、ＯＲ回路４８がローレベル電圧を出力し続けている期間が所定期間未満である場合、ハイレベル電圧をＡＮＤ回路４０に出力する。フィルタ回路４９は、ＯＲ回路４８がローレベル電圧を所定期間出力し続けた場合、ローレベル電圧をＡＮＤ回路４０に出力する。
従って、フィルタ回路４９は、制御信号がハイレベル電圧を示しているにも関わらず、出力端電圧Ｖｅが閾値電圧Ｖｔｈ未満である期間が所定期間続いた場合、ローレベル電圧をＡＮＤ回路４０に出力する。
【００７２】
前述したように、フィルタ回路４９がＡＮＤ回路４０にローレベル電圧を出力した場合、ＡＮＤ回路４０は、制御信号が示す電圧に無関係にローレベル電圧を出力する。この場合、昇圧回路４３は抵抗４５の一端への電圧の印加を停止し、放電回路４４は、寄生容量Ｃｓ２，Ｃｄ２に放電を行わせる。前述したように、寄生容量Ｃｓ２，Ｃｄ２が放電している間、寄生容量Ｃｓ１，Ｃｄ１は放電する。寄生容量Ｃｓ１，Ｃｄ１，Ｃｓ２，Ｃｄ２の放電により、第１ＦＥＴ２１及び第２ＦＥＴ２２のゲートの電圧が低下し、正極端子Ｔ１及び負荷１２間の電気的な接続が遮断される。
【００７３】
図３は、駆動機２３の動作の第１例を示すタイミングチャートである。ここでは、故障が発生していない場合における駆動機２３の動作を説明する。図３では、制御信号が示す電圧、出力端電圧Ｖｅ、並びに、コンパレータ４６、反転器４１、ＯＲ回路４８及びフィルタ回路４９が出力している出力電圧の推移が示されている。横軸は時間を示す。「Ｈ」はハイレベル電圧を示し、「Ｌ」はローレベル電圧を示す。
【００７４】
制御信号がローレベル電圧を示す場合、ＡＮＤ回路４０はローレベル電圧を出力し、昇圧回路４３が抵抗４５の一端への電圧の印加を停止している状態で放電回路４４が寄生容量Ｃｓ２，Ｃｄ２に放電を行わせている。このため、出力端電圧ＶｅはゼロＶであり、閾値電圧Ｖｔｈ未満である。従って、コンパレータ４６はローレベル電圧を出力している。
また、制御信号がローレベル電圧を示す場合、反転器４１、ＯＲ回路４８及びフィルタ回路４９はハイレベル電圧を出力している。
【００７５】
出力端電圧ＶｅがゼロＶである場合、第１ＦＥＴ２１及び第２ＦＥＴ２２夫々について、ゲートの電圧が低く、正極端子Ｔ１及び負荷１２間の電気的な接続は遮断されている。
【００７６】
制御信号が示す電圧がローレベル電圧からハイレベル電圧に切替わった場合、反転器４１は、ＯＲ回路４８に出力している電圧をローレベル電圧に切替える。更に、ＡＮＤ回路４０は、反転器４２及び昇圧回路４３に出力している電圧をハイレベル電圧に切替えるので、放電回路４４は導体１３及び抵抗２６間の電気的な接続を遮断し、昇圧回路４３は、抵抗４５の一端の電圧を所定電圧まで上昇させる。これにより、出力端電圧Ｖｅも上昇し、寄生容量Ｃｓ１，Ｃｄ１，Ｃｓ２，Ｃｄ２が充電され、第１ＦＥＴ２１及び第２ＦＥＴ２２のゲートの電圧が上昇する。
【００７７】
制御信号が示す電圧がローレベル電圧からハイレベル電圧に切替わった時点では、出力端電圧Ｖｅは閾値電圧Ｖｔｈ未満である。このため、制御信号が示す電圧がローレベル電圧からハイレベル電圧に切替わった場合、ＯＲ回路４８はフィルタ回路４９に出力している電圧をローレベル電圧に切替える。
【００７８】
出力端電圧Ｖｅが閾値電圧Ｖｔｈ以上となった場合、コンパレータ４６がＯＲ回路４８に出力している電圧がハイレベル電圧に切替わるので、ＯＲ回路４８はフィルタ回路４９に出力している電圧をハイレベル電圧に切替える。故障が発生していない場合、出力端電圧ＶｅがゼロＶから閾値電圧Ｖｔｈに到達するまでの期間は、フィルタ回路４９の説明で述べた所定期間未満である。このため、出力端電圧ＶｅがゼロＶから閾値電圧Ｖｔｈに到達するまでの期間、フィルタ回路４９がＡＮＤ回路４０にハイレベル電圧を出力し続ける。
【００７９】
抵抗４５の一端の電圧が所定電圧に到達した後、昇圧回路４３は、抵抗４５の一端の電圧を所定電圧に維持する。抵抗４５の一端の電圧が所定電圧に維持されている間、出力端電圧Ｖｅも一定である。このとき、第１ＦＥＴ２１及び第２ＦＥＴ２２夫々について、ソースの電位を基準としたゲートの電圧が高く、バッテリ１１から負荷１２に電力が供給され、負荷１２は作動する。
【００８０】
制御信号が示す電圧がハイレベル電圧からローレベル電圧に切替わった場合、前述したように、ＡＮＤ回路４０はローレベル電圧を出力する。これにより、昇圧回路４３は、抵抗４５の一端への電圧の印加を停止し、放電回路４４は、抵抗２６及び導体１３を電気的に接続し、寄生容量Ｃｓ２，Ｃｄ２に放電させる。このとき、寄生容量Ｃｓ１，Ｃｄ１は、前述したように、抵抗２４を介して放電する。寄生容量Ｃｓ２，Ｃｄ２の放電により、出力端電圧Ｖｅは低下する。
制御信号が示す電圧がハイレベル電圧からローレベル電圧に切替わった場合、反転器４１がＯＲ回路４８に出力している電圧はハイレベル電圧に切替わる。
【００８１】
出力端電圧Ｖｅが閾値電圧Ｖｔｈ未満となった場合、コンパレータ４６は、ＯＲ回路４８に出力している電圧をローレベル電圧に切替える。この時点では、反転器４１はハイレベル電圧を出力しているため、ＯＲ回路４８は、フィルタ回路４９に出力している電圧を、ローレベル電圧に切替えることなく、ハイレベル電圧に維持する。ＯＲ回路４８がハイレベル電圧を出力している間、フィルタ回路４９はハイレベル電圧を出力する。
出力端電圧Ｖｅは、ゼロＶに到達した後、制御信号が示す電圧がハイレベル電圧に切替わるまで、ゼロＶを維持する。
【００８２】
寄生容量Ｃｓ１，Ｃｄ１，Ｃｓ２，Ｃｄ２の放電により、第１ＦＥＴ２１及び第２ＦＥＴ２２夫々において、ソースの電位を基準としたゲートの電圧が低下する。これにより、第１ＦＥＴ２１及び第２ＦＥＴ２２夫々において、ドレイン及びソース間の抵抗値が上昇し、正極端子Ｔ１及び負荷１２間の電気的な接続が遮断され、負荷１２は動作を停止する。
【００８３】
以上のように、故障が発生していない場合、フィルタ回路４９は、ＡＮＤ回路４０にハイレベル電圧を出力し続け、ＡＮＤ回路４０は、反転器４２及び昇圧回路４３に出力している電圧をローレベル電圧に切替えることはない。従って、制御信号が示す電圧に無関係に、正極端子Ｔ１及び負荷１２間の電気的な接続が強制的に遮断されることはない。
【００８４】
また、制御信号がハイレベル電圧を示す場合、第１ＦＥＴ２１及び第２ＦＥＴ２２のソースが電気的に接続され、制御信号がローレベル電圧を示す場合、第１ＦＥＴ２１及び第２ＦＥＴ２２のソース間の電気的な接続が遮断される。
従って、制御信号がハイレベル電圧を示すことは、制御信号が第１ＦＥＴ２１及び第２ＦＥＴ２２のソース間の電気的な接続を指示することに相当する。制御信号がローレベル電圧を示すことは、第１ＦＥＴ２１及び第２ＦＥＴ２２のソース間の電気的な接続の遮断を指示することに相当する。
【００８５】
図４は、駆動機２３の動作の第２例を示すタイミングチャートである。ここでは、昇圧回路４３で故障が発生して、昇圧回路４３が抵抗４５の一端の電圧を所定電圧に上昇させることができず、出力端電圧Ｖｅが閾値電圧Ｖｔｈ以上とならない場合における駆動機２３の動作を説明する。図４でも、制御信号が示す電圧、出力端電圧Ｖｅ、並びに、コンパレータ４６、反転器４１、ＯＲ回路４８及びフィルタ回路４９が出力している出力電圧の推移が示されている。横軸は時間を示す。「Ｈ」はハイレベル電圧を示し、「Ｌ」はローレベル電圧を示す。
【００８６】
前述したように、制御信号がローレベル電圧を示す場合、ＡＮＤ回路４０はローレベル電圧を出力し、出力端電圧ＶｅはゼロＶであり、閾値電圧Ｖｔｈ未満である。従って、コンパレータ４６はローレベル電圧を出力している。また、制御信号がローレベル電圧を示す場合、反転器４１、ＯＲ回路４８及びフィルタ回路４９はハイレベル電圧を出力している。出力端電圧ＶｅがゼロＶである場合、正極端子Ｔ１及び負荷１２間の電気的な接続は遮断されている。
【００８７】
制御信号が示す電圧がローレベル電圧からハイレベル電圧に切替わった場合、反転器４１がＯＲ回路４８に出力している電圧をローレベル電圧に切替える。更に、ＡＮＤ回路４０は、反転器４２及び昇圧回路４３に出力している電圧をハイレベル電圧に切替えるので、放電回路４４は導体１３及び抵抗２６間の電気的な接続を遮断し、昇圧回路４３は、抵抗４５の一端の電圧を上昇させる。これにより、出力端電圧Ｖｅも上昇し、寄生容量Ｃｓ１，Ｃｄ１，Ｃｓ２，Ｃｄ２が充電され、第１ＦＥＴ２１及び第２ＦＥＴ２２夫々について、ソースの電位を基準としたゲートの電圧が上昇する。
【００８８】
前述したように、昇圧回路４３は、抵抗４５の一端の電圧を所定電圧まで上昇させることはできず、出力端電圧Ｖｅが閾値電圧Ｖｔｈ以上とならない。このため、出力端電圧Ｖｅは閾値電圧Ｖｔｈ未満に維持される。ここで、図４に示すように、出力端電圧Ｖｅが中途半端な値になっている場合、第１ＦＥＴ２１及び第２ＦＥＴ２２はハーフオンとなる可能性がある。この場合、前述したように、第１ＦＥＴ２１及び第２ＦＥＴ２２を介して電流が流れ、第１ＦＥＴ２１及び第２ＦＥＴ２２の温度が上昇し、第１ＦＥＴ２１及び第２ＦＥＴ２２が故障する可能性がある。
【００８９】
制御信号が示す電圧がローレベル電圧からハイレベル電圧に切替わった時点では、出力端電圧Ｖｅは閾値電圧Ｖｔｈ未満である。このため、制御信号が示す電圧がローレベル電圧からハイレベル電圧に切替わった場合、ＯＲ回路４８はフィルタ回路４９に出力している電圧をローレベル電圧に切替える。更に、出力端電圧Ｖｅは閾値電圧Ｖｔｈ以上となることはないため、コンパレータ４６はローレベル電圧を出力し続ける。結果、ＯＲ回路４８がローレベル電圧を出力している期間、即ち、制御信号がハイレベル電圧を示しているに関わらず、出力端電圧Ｖｅが閾値電圧Ｖｔｈ未満である期間が所定期間以上となった場合、フィルタ回路４９は、ＡＮＤ回路４０に出力している電圧をローレベル電圧に切替える。
【００９０】
このとき、ＡＮＤ回路４０は、制御信号が示す電圧に無関係に、反転器４２及び昇圧回路４３に出力している電圧をローレベル電圧に切替える。これにより、昇圧回路４３は、抵抗４５の一端への電圧の印加を停止し、放電回路４４は、抵抗２６及び導体１３を電気的に接続し、寄生容量Ｃｓ２，Ｃｄ２に放電させる。結果、出力端電圧ＶｅはゼロＶに低下する。寄生容量Ｃｓ２，Ｃｄ２が放電している間、寄生容量Ｃｓ１，Ｃｄ１は、前述したように、抵抗２４を介して放電する。寄生容量Ｃｓ１，Ｃｄ１，Ｃｓ２，Ｃｄ２の放電により、正極端子Ｔ１及び負荷１２間の電気的な接続が強制的に遮断され、負荷１２は動作を停止する。
【００９１】
その後、制御信号が示す電圧がローレベル電圧に切替わった場合、反転器４１は、ＯＲ回路４８に出力している電圧をハイレベル電圧に切替え、ＯＲ回路４８は、フィルタ回路４９に出力している電圧をハイレベル電圧に切替える。これにより、フィルタ回路４９は、ＡＮＤ回路４０に出力している電圧をハイレベル電圧に切替える。結果、ＡＮＤ回路４０は、制御信号が示す電圧を出力し、強制的な遮断が解除される。
【００９２】
なお、昇圧回路４３が抵抗４５の一端の電圧を所定電圧に維持している状態で故障が発生し、抵抗４５の一端の電圧が所定電圧から低下した場合においては、出力端電圧Ｖｅが閾値電圧Ｖｔｈ未満となったときにＯＲ回路４８がフィルタ回路４９に出力している電圧をローレベルに切替わる。そして、ＯＲ回路４８がローレベル電圧を出力している期間が所定期間以上となった場合、出力端電圧ＶｅをゼロＶに低下させ、正極端子Ｔ１及び負荷１２間の電気的な接続が強制的に遮断される。制御信号が示す電圧がローレベル電圧に切替わった場合、前述したように、強制的な遮断が解除される。
【００９３】
図５は、駆動機２３の動作の第３例を示すタイミングチャートである。ここでは、昇圧回路４３が抵抗４５の一端の電圧を所定電圧に維持している状態で第１ＦＥＴ２１のソース及びゲートが短絡した場合における駆動機２３の動作を説明する。図５でも、制御信号が示す電圧、出力端電圧Ｖｅ、並びに、コンパレータ４６、反転器４１、ＯＲ回路４８及びフィルタ回路４９が出力している出力電圧の推移が示されている。横軸は時間を示す。「Ｈ」はハイレベル電圧を示し、「Ｌ」はローレベル電圧を示す。
【００９４】
前述したように、制御信号がローレベル電圧を示す場合、ＡＮＤ回路４０はローレベル電圧を出力し、出力端電圧ＶｅはゼロＶであり、閾値電圧Ｖｔｈ未満である。従って、コンパレータ４６はローレベル電圧を出力している。また、制御信号がローレベル電圧を示す場合、反転器４１、ＯＲ回路４８及びフィルタ回路４９はハイレベル電圧を出力している。出力端電圧ＶｅがゼロＶである場合、正極端子Ｔ１及び負荷１２間の電気的な接続は遮断されている。
【００９５】
前述したように、制御信号が示す電圧がローレベル電圧からハイレベル電圧に切替わった場合、反転器４１は、ＯＲ回路４８に出力している電圧をローレベル電圧に切替える。更に、ＡＮＤ回路４０が出力している電圧がハイレベル電圧に切替わるので、放電回路４４は導体１３及び抵抗２６間の電気的な接続を遮断し、昇圧回路４３は、抵抗４５の一端の電圧を所定電圧まで上昇させる。これにより、出力端電圧Ｖｅが上昇し、第１ＦＥＴ２１及び第２ＦＥＴ２２夫々について、ソースの電位を基準としたゲートの電圧が上昇する。
【００９６】
制御信号が示す電圧がローレベル電圧からハイレベル電圧に切替わった場合、ＯＲ回路４８はフィルタ回路４９に出力している電圧をローレベル電圧に切替える。制御信号が示す電圧がハイレベル電圧に切替わってから所定期間が経過するまでに出力端電圧Ｖｅが閾値電圧Ｖｔｈ以上となり、ＯＲ回路４８はフィルタ回路４９に出力している電圧をハイレベル電圧に切替える。フィルタ回路４９は、ハイレベル電圧を出力し続ける。
【００９７】
抵抗４５の一端の電圧が所定電圧に到達した後、昇圧回路４３は、抵抗４５の一端の電圧を所定電圧に維持する。抵抗４５の一端の電圧が所定電圧に維持されている間、出力端電圧Ｖｅも一定である。このとき、第１ＦＥＴ２１及び第２ＦＥＴ２２夫々について、ソースの電位を基準としたゲートの電圧が高く、バッテリ１１から負荷１２に電力が供給され、負荷１２は作動する。
【００９８】
第１ＦＥＴ２１のソース及びゲートが短絡した場合、後述するように、分圧比の関係で、出力端電圧Ｖｅは低下する。ここで、閾値電圧Ｖｔｈは、所定電圧未満であり、かつ、短絡によって低下した出力端電圧Ｖｅを超える電圧に設定されている。このため、第１ＦＥＴ２１のソース及びゲートが短絡している場合、出力端電圧Ｖｅは閾値電圧Ｖｔｈ未満である。
【００９９】
出力端電圧Ｖｅが閾値電圧Ｖｔｈ未満となった場合、反転器４１がローレベル電圧を出力している状態で、コンパレータ４６は、ＯＲ回路４８に出力している電圧をローレベル電圧に切替える。これにより、ＯＲ回路４８は、フィルタ回路４９に出力している電圧をローレベル電圧に切替える。
【０１００】
ＡＮＤ回路４０がハイレベル電圧を出力している場合において、ＯＲ回路４８がローレベル電圧を出力している期間、即ち、制御信号がハイレベル電圧を示しているにも関わらず、出力端電圧Ｖｅが閾値電圧Ｖｔｈ未満である期間が所定期間以上となった場合、フィルタ回路４９は、ＡＮＤ回路４０に出力している電圧をローレベル電圧に切替える。このとき、ＡＮＤ回路４０は、制御信号が示す電圧に無関係に、反転器４２及び昇圧回路４３に出力している電圧をローレベル電圧に切替える。これにより、昇圧回路４３は、抵抗４５の一端への電圧の印加を停止し、放電回路４４は、抵抗２６及び導体１３を電気的に接続し、寄生容量Ｃｓ２，Ｃｄ２に放電させる。結果、出力端電圧ＶｅはゼロＶに低下する。寄生容量Ｃｓ２，Ｃｄ２が放電している間、寄生容量Ｃｓ１，Ｃｄ１は、前述したように、抵抗２４を介して放電する。寄生容量Ｃｓ１，Ｃｄ１，Ｃｓ２，Ｃｄ２の放電により、正極端子Ｔ１及び負荷１２間の電気的な接続が強制的に遮断され、負荷１２は動作を停止する。
放電回路４４が抵抗２６及び導体１３を電気的に接続した後、制御信号が示す電圧がローレベル電圧に切替わった場合、前述したように、強制的な遮断が解除される。
【０１０１】
なお、第１ＦＥＴ２１のソース及びゲートが短絡している状態で制御信号が示す電圧がハイレベル電圧に切替わった場合、出力端電圧Ｖｅは閾値電圧Ｖｔｈに到達することはない。この場合、図４で示したように、制御信号が示す電圧がハイレベル電圧に切替わってから所定期間が経過したとき、フィルタ回路４９は、ＡＮＤ回路４０に出力している電圧をハイレベル電圧に切替え、正極端子Ｔ１及び導体１３間の電気的な接続が強制的に遮断される。制御信号が示す電圧がローレベル電圧に切替わった場合、前述したように、強制的な遮断が解除される。
【０１０２】
次に、昇圧回路４３が抵抗４５の一端の電圧を所定電圧に維持している状態で、第１ＦＥＴ２１のソース及びゲートが短絡した場合に出力端電圧Ｖｅが低下する理由を説明する。
以下では、バッテリ１１の両端間の電圧をバッテリ電圧と記載する。所定電圧及びバッテリ電圧夫々をＶｓ及びＶｂで表す。また、ダイオード２９ａ，２９ｂ夫々について、電流が順方向に流れた場合に生じる電圧降下を無視する。更に、抵抗２４，４５夫々の抵抗値をｒ２４，ｒ４５と記載し、並列に接続された抵抗２５ａ，２５ｂの合成抵抗値をｒ２５と記載する。
【０１０３】
図６は、短絡が発生していない場合における昇圧回路４３及び導体１３間の回路図である。第１ＦＥＴ２１のソース及びゲートが短絡していない場合、出力端電圧Ｖｅは、抵抗４５と、抵抗２４，２５ａ，２５ｂの合成抵抗とが分圧することによって得られる電圧である。抵抗４５の一端の電圧が所定電圧Ｖｓであり、かつ、第１ＦＥＴ２１のソース及びゲートが短絡していない場合における出力端電圧Ｖｅ（以下、非短絡電圧Ｖｅ１という）は、下記の（１）式で表される。「・」は積を表す。
Ｖｅ１＝（Ｖｓ−Ｖｂ）・（（ｒ２４＋ｒ２５）／（ｒ２４＋ｒ２５＋ｒ４５））＋Ｖｂ・・・（１）
【０１０４】
所定電圧Ｖｓはバッテリ電圧Ｖｂよりも高い。このため、非短絡電圧Ｖｅ１は正の電圧である。所定電圧Ｖｓは例えば２５Ｖである。バッテリ電圧Ｖｂは例えば１２Ｖである。抵抗値ｒ２４は、抵抗２５ａ，２５ｂ夫々の抵抗値よりも大きい。従って、抵抗値ｒ２４は、抵抗２５ａ，２５ｂの合成抵抗値ｒ２５よりも大きい。このため、非短絡電圧Ｖｅ１は、比較的に高く、例えば、１８Ｖである。
【０１０５】
図７は、短絡が発生している場合における昇圧回路４３及び導体１３間の回路図である。第１ＦＥＴ２１のソース及びゲートが短絡している場合、出力端電圧Ｖｅは、抵抗４５と、抵抗２５ａ，２５ｂの合成抵抗とが分圧することによって得られる電圧である。抵抗４５の一端の電圧が所定電圧Ｖｓであり、かつ、第１ＦＥＴ２１のソース及びゲートが短絡している場合における出力端電圧Ｖｅ（以下、短絡電圧Ｖｅ２という）は、下記の（２）式で表される。
Ｖｅ２＝（Ｖｓ−Ｖｂ）・（ｒ２５／（ｒ２５＋ｒ４５））＋Ｖｂ・・・（２）
（２）式は、（１）式において、ｒ２４にゼロを代入することによって導出される。前述したように、所定電圧Ｖｓはバッテリ電圧Ｖｂよりも高いので、短絡電圧Ｖｅ２も正の電圧である。
【０１０６】
非短絡電圧Ｖｅ１から短絡電圧Ｖｅ２を減算することによって差分値を導出する。この差分値は、（Ｖｓ−Ｖｂ）・ｒ２４・ｒ４５／（（ｒ２５＋ｒ４５）・（ｒ２４＋ｒ２５＋ｒ４５））で表される。ここで、所定電圧Ｖｓはバッテリ電圧Ｖｂよりも高く、かつ、抵抗値ｒ２４，ｒ４５及び合成抵抗値ｒ２５夫々は正の値である。従って、差分値は正の値である。結果、非短絡電圧Ｖｅ１は短絡電圧Ｖｅ２よりも高い。
【０１０７】
以上のことから、第１ＦＥＴ２１のソース及びゲートが短絡した場合、出力端電圧Ｖｅは低下することがわかる。閾値電圧Ｖｔｈは、非短絡電圧Ｖｅ１以下であり、かつ、短絡電圧Ｖｅ２を超える電圧に設定される。非短絡電圧Ｖｅ１は所定電圧Ｖｓ未満である。
【０１０８】
以上のように、制御装置１０では、ＡＮＤ回路４０が、ハイレベル電圧を出力することによって、抵抗４５の一端の電圧の所定電圧Ｖｓへの上昇を昇圧回路４３に指示している場合において、第１ＦＥＴ２１のソース及びゲートが短絡しているとき、出力端電圧Ｖｅは、閾値電圧Ｖｔｈ未満である。このとき、ＡＮＤ回路４０はローレベル電圧を出力し、昇圧回路４３は抵抗４５の一端への電圧の印加を停止し、放電回路４４は抵抗４５の一端の電圧を低下させる。これにより、第２ＦＥＴ２２のゲートの電圧が低下し、第２ＦＥＴ２２のドレイン及びソース間の抵抗値が上昇する。結果、第１ＦＥＴ２１及び第２ＦＥＴ２２を介したバッテリ１１から負荷１２への給電が停止する。
【０１０９】
また、制御装置１０では、ＡＮＤ回路４０がハイレベル電圧を出力している場合において、出力端電圧Ｖｅが閾値電圧Ｖｔｈ未満である期間が所定期間以上となったとき、即ち、故障が発生している可能性が高いとき、ＡＮＤ回路４０はローレベル電圧を出力する。これにより、出力端電圧Ｖｅが低下し、第１ＦＥＴ２１及び第２ＦＥＴ２２を介した給電を停止する。
【０１１０】
更に、抵抗２５ａ及びダイオード２９ａの直列回路と、抵抗２５ｂ及びダイオード２９ｂの直列回路とが並列に接続されている。このため、抵抗２５ａ，２５ｂ中の１つを介した通電が停止した場合であっても、他の抵抗を介して通電が行われるため、第１ＦＥＴ及び第２ＦＥＴは適切に作用する。
【０１１１】
抵抗２５ａ，２５ｂ中の１つを介した通電が停止した場合、非短絡電圧Ｖｅ１及び短絡電圧Ｖｅ２は上昇する。このため、閾値電圧Ｖｔｈは、抵抗２５ａ，２５ｂ中の１つを介した通電が停止した場合であっても、非短絡電圧Ｖｅ１以下であり、かつ、短絡電圧Ｖｅ２を超える電圧に設定される。
具体的には、閾値電圧Ｖｔｈは、抵抗２５ａ，２５ｂの全てを介して通電が行われている場合における非短絡電圧Ｖｅ１以下であり、かつ、抵抗２５ａ，２５ｂの中で抵抗値が最も大きい抵抗のみを介して通電が行われている場合における短絡電圧Ｖｅ２を超える電圧に設定される。
【０１１２】
なお、第１ＦＥＴ２１のソース及びゲート間に大きな電圧が印加される可能性が低い場合、ツェナーダイオード３１ｂによるスイッチ３２の両端間の接続は不要であり、ツェナーダイオード３１ａの代わりに、通常のダイオードが接続されてもよい。この場合、ダイオードはツェナーダイオードと同様に接続される。従って、ダイオードのカソード及びアノードは、第１ＦＥＴ２１のドレイン及びゲートに接続される。この構成であっても、スイッチ３２がオフからオンに切替わった場合、第１ＦＥＴ２１において、ソース及びゲートが短絡され、ソースの電位を基準としたゲートの電圧は、出力端電圧Ｖｅに無関係に、略ゼロＶに低下する。これにより、電流が第２ＦＥＴ２２のソースから第１ＦＥＴ２１のソースに向けて電流が流れることが防止される。更に、ダイオードは、電流が抵抗２７、スイッチ３２のベース、及び、スイッチ３２のコレクタの順に流れることを防止する。
また、スイッチ３２は、ＮＰＮ型のバイポーラトランジスタに限定されず、例えば、Ｎチャネル型のＦＥＴであってもよい。
【０１１３】
（実施形態２）
図８は、実施形態２における電源システム１の回路図である。
以下では、実施形態２について、実施形態１と異なる点を説明する。後述する構成を除く他の構成は実施形態１と共通している。このため、実施形態１と共通する構成部には、実施形態１と同一の参照符号を付してその説明を省略する。
【０１１４】
実施形態２における電源システム１は、実施形態１と同様に、制御装置１０、バッテリ１１、負荷１２及び導体１３を備える。これらは、実施形態１と同様に接続されている。実施形態２における制御装置１０は、正極端子Ｔ１及び負極端子Ｔ２夫々にバッテリ１１の正極及び負極が接続されていることを前提として動作する。実施形態２における制御装置１０は、実施形態１と同様に作用する。従って、制御装置１０は、制御信号が示す電圧がローレベル電圧からハイレベル電圧に切替わった場合、正極端子Ｔ１及び負荷１２を電気的に接続する。また、制御装置１０は、制御信号が示す電圧がハイレベル電圧からローレベル電圧に切替わった場合、正極端子Ｔ１及び負荷１２間の電気的な接続を遮断する。これにより、制御装置１０は、バッテリ１１から負荷１２への給電を制御する。
【０１１５】
実施形態２における制御装置１０は、実施形態１と同様に、第１ＦＥＴ２１、第２ＦＥＴ２２、駆動機２３及び抵抗２４，２５ａ，２５ｂを有する。第１ＦＥＴ２１の接続と、抵抗２５ａ，２５ｂの他端の接続とを除いて、これらは実施形態１と同様に接続されている。第１ＦＥＴ２１のドレインは正極端子Ｔ１に接続されている。第１ＦＥＴ２１のソースは、第２ＦＥＴ２２のドレインに接続されている。第１ＦＥＴ２１のゲートには、抵抗２５ａ，２５ｂ夫々の一端が接続されている。駆動機２３と抵抗２５ａ，２５ｂ夫々の他端とは、抵抗２６を介して第２ＦＥＴ２２のゲートに接続されている。
従って、抵抗２５ａ，２５ｂ夫々は、第１ＦＥＴ２１及び第２ＦＥＴ２２のゲート間に接続されている。抵抗２４は、実施形態１と同様に、第１ＦＥＴ２１のソース及びゲート間に接続されている。
【０１１６】
駆動機２３は実施形態１と同様に構成されている。従って、抵抗４５の他端は、抵抗２６を介して第２ＦＥＴ２２のゲートに接続されている。放電回路４４は、更に、導体１３と、抵抗４５の他端とに接続されている。
【０１１７】
駆動機２３の構成部は実施形態１と同様に作用する。
昇圧回路４３は、ＡＮＤ回路４０から入力されている電圧がローレベル電圧からハイレベル電圧に切替わった場合、導体１３の電位を基準とした抵抗４５の一端の電圧を、正極端子Ｔ１、即ち、第１ＦＥＴ２１のドレインの電圧よりも高い所定電圧に上昇させる。これにより、抵抗４５の他端の電圧である出力端電圧Ｖｅが上昇し、電流が抵抗２５ａ又は抵抗２５ｂを介して寄生容量Ｃｄ１，Ｃｓ１に流れ、電流が抵抗２６を介して寄生容量Ｃｄ２，Ｃｓ２に流れる。これにより、寄生容量Ｃｓ１，Ｃｄ１，Ｃｓ２，Ｃｄ２が充電され、第１ＦＥＴ２１及び第２ＦＥＴ２２夫々において、ソースの電位を基準としたゲートの電圧が上昇し、ドレイン及びソース間の抵抗値が低下する。結果、正極端子Ｔ１及び負荷１２が電気的に接続され、バッテリ１１は、第１ＦＥＴ２１及び第２ＦＥＴ２２を介して負荷１２に電力を供給する。
【０１１８】
昇圧回路４３は、ＡＮＤ回路４０から入力されている電圧がハイレベル電圧からローレベル電圧に切替わった場合、抵抗４５の一端への電圧の印加を停止する。このとき、抵抗４５に電流が流れないため、抵抗４５の両端の電圧は出力端電圧Ｖｅと略一致する。
【０１１９】
放電回路４４は、反転器４２から入力されている電圧がローレベル電圧からハイレベル電圧に切替わった場合、抵抗２６の抵抗４５側の一端を導体１３に電気的に接続する。これにより、第１ＦＥＴ２１及び第２ＦＥＴ２２の寄生容量Ｃｓ１，Ｃｄ１，Ｃｓ２，Ｃｄ２は放電し、出力端電圧Ｖｅが低下する。このとき、電流は、寄生容量Ｃｓ１，Ｃｄ１夫々の抵抗２４側の一端から、抵抗２５ａ又は抵抗２５ｂを介して、放電回路４４及び導体１３の順に流れる。更に、電流は、寄生容量Ｃｓ２，Ｃｄ２夫々の抵抗２６側の一端から、抵抗２６、放電回路４４及び導体１３の順に流れる。また、電流は、寄生容量Ｃｓ１の第１ＦＥＴ２１のゲート側の一端から抵抗２４を流れる。これにより、第１ＦＥＴ２１及び第２ＦＥＴ２２夫々において、ソースの電位を基準としたゲートの電圧が低下し、ドレイン及びソース間の抵抗値が上昇する。結果、正極端子Ｔ１及び負荷１２間の電気的な接続が遮断され、負荷１２への給電は停止する。
【０１２０】
放電回路４４は、反転器４２から入力されている電圧がハイレベル電圧からローレベル電圧に切替わった場合、導体１３及び抵抗２６間の電気的な接続を遮断する。これにより、寄生容量Ｃｓ２，Ｃｄ２は放電を停止する。
【０１２１】
ＡＮＤ回路４０は、ハイレベル電圧を出力することによって、昇圧回路４３に抵抗４５の一端の電圧の上昇を指示し、放電回路４４に出力端電圧Ｖｅの低下の停止を指示する。また、ＡＮＤ回路４０は、ローレベル電圧を出力することによって、昇圧回路４３に抵抗４５の一端への電圧の印加の停止を指示し、放電回路４４に出力端電圧Ｖｅの低下を指示する。
【０１２２】
制御装置１０は、例えば、第１ＦＥＴ２１及び第２ＦＥＴ２２中の一方のＦＥＴでドレイン及びソースが短絡した場合に、ドレイン及びソースの短絡が発生していない他方のＦＥＴをオフにすることによって、バッテリ１１から負荷１２への給電を停止する。
【０１２３】
実施形態２では、抵抗４５の一端の電圧が所定電圧Ｖｓであり、かつ、第１ＦＥＴ２１のドレイン及びゲートが短絡していない場合における出力端電圧Ｖｅを、非短絡電圧Ｖｅ１と記載する。また、抵抗４５の一端の電圧が所定電圧Ｖｓであり、かつ、第１ＦＥＴ２１のドレイン及びゲートが短絡している場合における出力端電圧Ｖｅを、短絡電圧Ｖｅ２と記載する。実施形態２においては、非短絡電圧Ｖｅ１は所定電圧Ｖｓであり、短絡電圧Ｖｅ２はバッテリ電圧Ｖｂである。閾値電圧Ｖｔｈは、非短絡電圧Ｖｅ１、即ち、所定電圧Ｖｓ未満であり、かつ、短絡電圧Ｖｅ２を超える電圧に設定される。
【０１２４】
実施形態２における制御装置１０の作用は、図３〜図５に示す実施形態１の作用と同様であり、実施形態２における制御装置１０は、実施形態１と同様に、下記の効果を奏する。
まず、制御装置１０では、ＡＮＤ回路４０が、ハイレベル電圧を出力することによって、抵抗４５の一端の電圧の所定電圧Ｖｓへの上昇を昇圧回路４３に指示している場合において、第１ＦＥＴ２１のドレイン及びゲートが短絡しているとき、出力端電圧Ｖｅは、閾値電圧Ｖｔｈ未満である。このとき、ＡＮＤ回路４０はローレベル電圧を出力し、昇圧回路４３は抵抗４５の一端への電圧の印加を停止し、放電回路４４は抵抗４５の一端の電圧を低下させる。これにより、第２ＦＥＴ２２のゲートの電圧が低下し、第２ＦＥＴ２２のドレイン及びソース間の抵抗値が上昇する。結果、第１ＦＥＴ２１及び第２ＦＥＴ２２を介したバッテリ１１から負荷１２への給電が停止する。
【０１２５】
また、制御装置１０では、ＡＮＤ回路４０がハイレベル電圧を出力している場合において、出力端電圧Ｖｅが閾値電圧Ｖｔｈ未満である期間が所定期間以上となったとき、即ち、故障が発生している可能性が高いとき、ＡＮＤ回路４０はローレベル電圧を出力する。これにより、出力端電圧Ｖｅが低下し、第１ＦＥＴ２１及び第２ＦＥＴ２２を介した給電を停止する。
【０１２６】
更に、抵抗２５ａ，２５ｂが並列に接続されている。このため、抵抗２５ａ，２５ｂ中の１つを介した通電が停止した場合であっても、他の抵抗を介して通電が行われるため、第１ＦＥＴ及び第２ＦＥＴは適切に作用する。
【０１２７】
また、実施形態２における制御装置１０では、実施形態１と同様に、昇圧回路４３で故障が発生して、昇圧回路４３が抵抗４５の一端の電圧を所定電圧に上昇させることができず、出力端電圧Ｖｅが閾値電圧Ｖｔｈ以上とならない場合、正極端子Ｔ１及び負荷１２間の電気的な接続が強制的に遮断する。
【０１２８】
なお、実施形態１，２において、フィルタ回路４９は、ＡＮＤ回路４０ではなく、ラッチ回路に接続され、ラッチ回路がＡＮＤ回路４０の他方の入力端に接続されてもよい。この場合、フィルタ回路４９はハイレベル電圧又はローレベル電圧をラッチ回路に出力する。フィルタ回路４９がハイレベル電圧を出力している場合、ラッチ回路はハイレベル電圧をＡＮＤ回路４０に出力する。フィルタ回路４９がラッチ回路に出力している電圧をローレベル電圧に切替えた場合、ラッチ回路は、ＡＮＤ回路４０に出力している電圧をローレベル電圧に切替える。これにより、正極端子Ｔ１及び負荷１２間の電気的な接続が強制的に遮断される。ラッチ回路は、ＡＮＤ回路４０に出力している電圧をローレベル電圧に切替えた後、フィルタ回路４９が出力している電圧に無関係に、ＡＮＤ回路４０に出力している電圧をローレベル電圧に維持する。この場合においては、制御信号が示す電圧がローレベル電圧に切替わっても、強制的な遮断が解除されることはない。
【０１２９】
また、実施形態１において、第１ＦＥＴ２１及び第２ＦＥＴ２２のゲート間に接続され、抵抗及びダイオードを含む直列回路の数は、２に限定されず、１又は３以上であってもよい。同様に、実施形態２において、第１ＦＥＴ２１及び第２ＦＥＴ２２のゲート間に接続され、抵抗の数は、２に限定されず、１又は３以上であってもよい。
【０１３０】
開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【０１３１】
１  電源システム
１０  制御装置
１１  バッテリ
１２  負荷
１３  導体
２１  第１ＦＥＴ
２２  第２ＦＥＴ
２３  駆動機
２４  抵抗
２５ａ，２５ｂ  抵抗（第１抵抗）
２６，２７，２８  抵抗
２９ａ，２９ｂ，３０  ダイオード
３１ａ  ツェナーダイオード（電圧維持体）
３１ｂ  ツェナーダイオード
３２  スイッチ
４０  ＡＮＤ回路（指示部）
４１，４２  反転器
４３  昇圧回路
４４  放電回路（低下回路）
４５  抵抗（第２抵抗）
４６  コンパレータ
４７  直流電源
４８  ＯＲ回路
４９  フィルタ回路
Ｃｄ１，Ｃｄ２，Ｃｓ１，Ｃｓ２  寄生容量
Ｄｐ１，Ｄｐ２  寄生ダイオード
Ｇ１  外部装置
Ｔ１  正極端子
Ｔ２  負極端子
【図１】
2019146414.tif 000003
【図２】
2019146414.tif 000004
【図３】
2019146414.tif 000005
【図４】
2019146414.tif 000006
【図５】
2019146414.tif 000007
【図６】
2019146414.tif 000008
【図７】
2019146414.tif 000009
【図８】
2019146414.tif 000010
【手続補正書】
【提出日】平成30年11月9日(2018.11.9)
【手続補正１】
【補正対象書類名】明細書
【補正対象項目名】００４６
【補正方法】変更
【補正の内容】
【００４６】
ダイオード２９ａ，２９ｂは、バッテリ１１が抵抗２４，２６を介して第２ＦＥＴ２２のゲートに電圧を印加することを防止する。仮に、ダイオード２９ａ，２９ｂが存在せず、バッテリ１１が第２ＦＥＴ２２のゲートに電圧を印加した場合、第２ＦＥＴ２２において、ソースの電位を基準としたゲートの電圧が中途半端な値となる。